(57)【特許請求の範囲】
【請求項１】
撮影時にカメラ前面から被写体に向けて投光するカメラの内蔵ストロボにおいて、
放電により発光する放電管と、
前記放電管から照射された光をカメラ前方に向けて導く導光手段とを備え、
前記導光手段は、カメラ前後方向に向いて、かつ断面が矩形形状の透明体を前記放電管の長手方向に所定の間隔で複数配列して構成され、
カメラ前面側にフレネルレンズが形成された透明部材は前記透明体のカメラ前面側に配置され、
前記透明体と前記透明部材とは一体化され、
前記導光手段に入射した光は前記透明体の側面で反射して照射角度が変更され前記放電管の長手方向の拡散が防止された後、前記透明部材に入射し前記フレネルレンズにより所定の角度範囲で前記導光手段から射出することを特徴とするカメラの内蔵ストロボ。
【請求項２】
前記透明部材は、カメラ前面の形状に対応した角度の傾斜面を有し、
前記フレネルレンズは前記傾斜面に形成されていることを特徴とする請求項１に記載のカメラ内蔵ストロボ。
【請求項３】
撮影時にカメラ前面から被写体に向けて投光するカメラの内蔵ストロボにおいて、
放電により発光する放電管と、
前記放電管から照射された光をカメラ前方に向けて導く導光手段と、
前記導光手段を介して導かれた光を拡散する拡散手段とを備え、
前記導光手段は、カメラ前後方向に向いて、かつ断面が矩形形状の透明体を前記放電管の長手方向に所定の間隔で複数配列して構成され、
前記拡散手段は前記透明体と一体化され、
前記導光手段に入射した光は前記透明体の側面で反射して照射角度が変更され前記放電管の長手方向の拡散が防止された後、前記拡散手段に入射し前記拡散手段により所定の角度範囲で射出することを特徴とするカメラの内蔵ストロボ。
【請求項４】
前記拡散手段は、カメラ前面の形状に対応した角度の傾斜面を有していることを特徴とする請求項３に記載のカメラの内蔵ストロボ。
【請求項５】
前記導光手段の前記透明体の前記放電管の長手方向に関する配列ピッチに対する前記透明体のカメラ前後方向の長さの比を１／５以上としたことを特徴とする請求項１から請求項４のいずれか一項に記載のカメラの内蔵ストロボ。
【発明の詳細な説明】
【０００１】
【発明の属する技術分野】
本発明は、撮影時に被写体に向けて投光するカメラの内蔵ストロボに関する。
【０００２】
【従来の技術】
撮影時に被写体を照明するためのカメラの内蔵ストロボが知られている。通常、ストロボは放電により発光する放電管と、放電管で発生した光を効率良く被写体に向けて反射させるためのリフレクタとを備える。
【０００３】
【発明が解決しようとする課題】
しかし、放電管およびリフレクタにより構成された従来のストロボでは、放電管の位置から放射状に拡散した光を直接被写体に照明するようにしているため、カメラの他の部材により光線を遮らないように、ストロボを他の部材から引離して配置する必要がある。したがってストロボの配置に一定の制限が生ずることとなり、カメラのコンパクト化を阻害するという問題がある。
【０００４】
本発明の目的は、配置の自由度が高く、良好な配光を確保することができるカメラの内蔵ストロボを提供することにある。
【０００５】
【課題を解決するための手段】
一実施の形態を示す図１〜図５に対応づけて説明すると、請求項１に記載の発明は、撮影時にカメラ前面から被写体に向けて投光するカメラの内蔵ストロボに適用される。そして、放電により発光する放電管１と、放電管１から照射された光をカメラ前方に向けて導く導光手段３２ａ〜３２ｅとを備え、導光手段３２ａ〜３２ｅは、カメラ前後方向に向いて、かつ断面が矩形形状の透明体３２ａ〜３２ｅを放電管１の長手方向に所定の間隔で複数配列して構成され、カメラ前面側にフレネルレンズ３５が形成された透明部材３は透明体３２ａ〜３２ｅのカメラ前面側に配置され、透明体３２ａ〜３２ｅと透明部材３とは一体化され、導光手段３２ａ〜３２ｅに入射した光は透明体３２ａ〜３２ｅの側面で反射して照射角度が変更され放電管１の長手方向の拡散が防止された後、透明部材３に入射しフレネルレンズ３５により所定の角度範囲で導光手段３２ａ〜３２ｅから射出することを特徴とする。
請求項２に記載の発明は、請求項１に記載のカメラの内蔵ストロボにおいて、透明部材３は、カメラ前面の形状に対応した角度の傾斜面を有し、フレネルレンズ３５は傾斜面に形成されていることを特徴とする。
請求項３に記載の発明は、撮影時にカメラ前面から被写体に向けて投光するカメラの内蔵ストロボに適用される。そして、放電により発光する放電管１と、放電管１から照射された光をカメラ前方に向けて導く導光手段３２ａ〜３２ｅと、導光手段３２ａ〜３２ｅを介して導かれた光を拡散する拡散手段３５とを備え、導光手段３２ａ〜３２ｅは、カメラ前後方向に向いて、かつ断面が矩形形状の透明体３２ａ〜３２ｅを放電管１の長手方向に所定の間隔で複数配列して構成され、拡散手段３５は透明体３２ａ〜３２ｅと一体化され、導光手段３２ａ〜３２ｅに入射した光は透明体３２ａ〜３２ｅの側面で反射して照射角度が変更され放電管１の長手方向の拡散が防止された後、拡散手段３５に入射し拡散手段３５により所定の角度範囲で射出することを特徴とする。
請求項４に記載の発明は、請求項３に記載のカメラの内蔵ストロボにおいて、拡散手段３５はカメラ前面の形状に対応した角度の傾斜面を有していることを特徴とする。
請求項５に記載の発明は、請求項１乃至５のいずれか一項に記載のカメラの内蔵ストロボにおいて、導光手段３２ａ〜３２ｅの透明体３２ａ〜３２ｅの放電管１の長手方向に関する配列ピッチに対する透明体３２ａ〜３２ｅのカメラ前後方向の長さの比を１／５以上としたことを特徴とする。
【０００６】
なお、本発明の構成を説明する上記課題を解決するための手段の項では、本発明を分かり易くするために発明の実施の形態の図を用いたが、これにより本発明が実施の形態に限定されるものではない。
【０００７】
【発明の実施の形態】
以下、図１〜図６を用いて本発明によるカメラの内蔵ストロボの一実施の形態について説明する。
【０００８】
図１および図２において、１は撮影時に発光する放電管（キセノン管）、２は放電管１から射出された光を反射するリフレクタ、３は放電管１からの投光を拡散する透明樹脂製のプロテクタ、４はカメラの前面カバー７（図２）に即して設けられた発光窓である。また、図１において、５は撮影時に被写体を確認するためのファインダ装置（光軸を一点鎖線で示している）、６は被写体までの距離を測定するための測距装置、図２において８は放電管１からの光を遮蔽するための遮光部材である。
【０００９】
図２に示すように、放電管１はカメラ左右方向に延びた略円筒形状をしており、不図示の電極が放電管１の両端部に収納されている。電圧の印加により電極間でガス放電を生じ、放電管１の全体がほぼ均一の明るさで発光する。
【００１０】
図２に示すように、リフレクタ２は放電管１のカメラ背面側からプロテクタ３の両端部を結ぶ位置に向けて折曲げて設置され、放電管１からカメラ後方およびカメラ側方に向けて射出された光を反射する。
【００１１】
本実施の形態では、照射角、光量の均一性等について所望の光学特性を獲得するため、図２に示すようなシミュレーション実験を行い、これによりプロテクタ３の形状を定めている。図３および図４に示すように、プロテクタ３のカメラ背面側には凹部３１ａ，３１ｂ，３１ｃおよび３１ｄが形成されており、凹部３１ａ〜３１ｄにより互いに分離された突起３２ａ，３２ｂ，３２ｃ，３２ｄおよび３２ｅがカメラ背面に向けて突設されている。
【００１２】
図４（ｂ）に示すように、プロテクタ３の突起３２ａ〜３２ｅはカメラ縦方向（図１において紙面と直交する方向）に長い長方形の断面形状をしており、図４（ｂ）における上下の短辺においてプロテクタ３の縁部３３および縁部３４に接続されている。
【００１３】
図４（ａ）に示すように、突起３２ａ〜３２ｅのピッチに対する突起３２ａ〜３２ｅの長さ（図４（ａ）において上下方向の長さ）の比率は約１／４〜３／４である。すなわち、この比率は、カメラ前後方向（図１において上下方向）に最も短い突起３２ａあるいは突起３２ｂにおいて約１／４であり、カメラ前後方向に最も長い突起３２ｅにおいて約３／４である。
【００１４】
図２〜図４に示すように、プロテクタ３のカメラ前面側にはカメラ前面の形状に即した角度の傾斜面が形成されており、その表面には図５に示す同心円状の凹凸によるフレネルレンズ３５が形成されている。
【００１５】
本実施の形態では、透明樹脂を用いてプロテクタ３を一体に形成しており、突起３２ａ〜３２ｅやフレネルレンズ３５の位置決めを高精度に行うことができるとともに、製造工程が単純なため製造コストを低く抑えることができる。
【００１６】
以上のように構成された本実施の形態のカメラの内蔵ストロボの動作について次に説明する。
【００１７】
放電管１の電極間に電圧を印加すると放電管１において放電発光し、投光の一部はプロテクタ３に照射され、また一部はリフレクタ２に照射される。放電管１からの直接の投光あるいはリフレクタ２による反射光がプロテクタ３に照射されると、主として突起３２ａ〜３２ｅの側面での反射の作用により照射光の拡散が防止され、照射光はフレネルレンズ３５に向けて効率良く導かれる。フレネルレンズ３５により拡散された光は発光窓４を介して射出し被写体を照明する。図１および図２におけるθ1 は右方への配光角を、θ2 は左方への配光角をそれぞれ表している。
【００１８】
本実施の形態のカメラの内蔵ストロボでは、図２においてプロテクタ３の左方寄りに入射した光は主として右方（θ1 の方向）に、プロテクタ３の右方寄りに入射した光は主として左方（θ2 の方向）に、それぞれ拡散するように構成されている。このため、右方（θ1 の方向）へのストロボ光が遮光部材８によって蹴られることなく広い照射角を得ることができるとともに、ストロボ全体としての光量のロスを増大させることもない。なお図２において、放電管１中の点Ａ〜Ｈはシミュレーションにおける光源の位置を、各点Ａ〜Ｈから引かれた直線（折れ線）はシミュレーションにおける各点Ａ〜Ｈから射出された光線をそれぞれ示している。
【００１９】
図６は、本実施の形態におけるプロテクタ３を用いない従来のストロボを示している。この場合、実施の形態と同様に右方への配光角θ1 を確保しようとすれば、部材８による光線の蹴られを排除するために図６のδだけ放電管１の位置を移動しなければならない（図６では部材８を移動するように表現している）。図２との対比で明らかなように、部材８から発光窓４（４´）の端部までの距離Ｌ１（図２）が距離Ｌ２（図６）に増大しており、その分カメラが大型化してしまう。なお、図６では図２に示す構成要素と同一のものには同一の符号を、対応する構成要素には「´」付きの同一符号をそれぞれ付している。
【００２０】
これに対して本実施の形態のカメラの内蔵ストロボでは、光の拡散を防止する突起３２ａ〜３２ｅと光を拡散するフレネルレンズ３５とを組合せたプロテクタ３を用いているので、小さな発光窓４を介してストロボ光を照射しているにもかかわらず、広い照射角を得ることができ、カメラを小型化することができる。
【００２１】
本実施の形態では、フレネルレンズ３５の側から放電管１の方向（カメラ背面方向）に向けて突起３２ａ〜３２ｅを突設しているが、例えば、突起の方向を放電管１からカメラ前面方向に向うように構成し、突起の先にフレネルレンズ等の拡散手段を設けてもよい。
【００２２】
発明の実施の形態および請求項の記載において、突起３１ａ〜３１ｅのそれぞれが透明体に、突起３１ａ〜３１ｅが導光手段に、フレネルレンズ３５が拡散手段に、それぞれ対応する。
【００２３】
【発明の効果】
請求項１に記載の発明は、放電管から照射された光をカメラ前方に向けて導く導光手段と、導光手段を介して導かれた光を所定の角度範囲で射出するフレネルレンズとを備えるので、ストロボの配置の自由度が高く、良好な配光を確保することができる。さらに、導光手段およびフレネルレンズが一体の透明部材により形成されているので、高精度なストロボを安価に製造することができる。
請求項３に記載の発明は、放電管から照射された光をカメラ前方に向けて導く導光手段と、導光手段を介して導かれた光を所定の角度範囲で射出する拡散手段とを備えるので、ストロボの配置の自由度が高く、良好な配光を確保することができる。さらに、導光手段および拡散手段が一体の透明部材により形成されているので、高精度なストロボを安価に製造することができる。
【図面の簡単な説明】
【図１】本実施の形態のカメラの内蔵ストロボを備えるカメラを示す断面図。
【図２】本実施の形態のカメラの内蔵ストロボの作用を示すシミュレーション図。
【図３】本実施の形態のカメラの内蔵ストロボのプロテクタを示す斜視図。
【図４】本実施の形態のカメラの内蔵ストロボのプロテクタを示す図であり、（ａ）はＡ−Ａ線における断面図、（ｂ）はＢ−Ｂ線における断面図。
【図５】本実施の形態のカメラの内蔵ストロボのプロテクタに形成されたフレネルレンズを示す図。
【図６】従来のストロボを用いたカメラを示す断面図。
【符号の説明】
１      放電管
３      プロテクタ
３２ａ〜３２ｅ    突起
３５    フレネルレンズ
【図１】
0003823450.tif 000002
【図２】
0003823450.tif 000003
【図３】
0003823450.tif 000004
【図４】
0003823450.tif 000005
【図５】
0003823450.tif 000006
【図６】
0003823450.tif 000007